(57)【要約】【課題】簡単な構成で、室外気温センサーを保護し、直射日光や熱交換器からの輻射等による温度誤検知を防止することができる分離型空気調和機の室外ユニットを提供する。【解決手段】熱交換器２用に外気を取り入れる送風機３を内蔵した送風機室４と、電装品６を収納する電装箱７に一体に形成されると共に外気の温度を検知する室外気温センサー８が配されたセンサー用送風路１０と、電装箱７の上部に配されると共に前記センサー用送風路１０の上部に配される上壁（図示せず）が一体に延設された電装箱蓋（図示せず）と、外箱天板１２に設けられた開口部１２ａとを備え、開口部１２ａとセンサー用送風路１０と送風機室４とを連通させて、開口部１２ａより空気を確実に導入するとともに、室外気温センサー８を保護し、直射日光の輻射等による温度誤検知を防止する。【選択図】図２ 
2005172349.tif 000002
【特許請求の範囲】
【請求項１】
外郭上部を形成する外箱天板と、熱交換器と、前記熱交換器を通して外気を取り入れる送風機を内蔵した送風機室と、前記熱交換器に流入する外気の温度を検知する室外気温センサーと、前記室外気温センサーに接続された電装品を収納する電装箱と、前記電装箱に一体に形成されると共に前記室外気温センサーが配されたセンサー用送風路と、前記電装箱の上部に配されると共に前記センサー用送風路の上部に配される上壁が一体に延設された電装箱上蓋と、前記外箱天板に設けられた開口部とを備え、 前記開口部と前記センサー用送風路と前記送風機室とを連通させた分離型空気調和機の室外ユニット。
【請求項２】
センサー用送風路の上流側に開口部と連通する上流側開口部を、下流側に送風機室と連通する下流側開口部をそれぞれ設け、前記下流側開口部を電装箱の送風機側端面より送風機側に配置した請求項１記載の分離型空気調和機の室外ユニット。
【請求項３】
開口部、上流側開口部および室外気温センサーを電装箱の送風機側端面より送風機側に配置した請求項２記載の分離型空気調和機の室外ユニット。
【請求項４】
センサー用送風路の底壁の送風機側に、熱交換器側より階段状に低くした段部を設け、前記段部に室外気温センサーを設置した請求項１〜３のいずれか１項記載の分離型空気調和機の室外ユニット。
【発明の詳細な説明】
【技術分野】
【０００１】
本発明は、分離型空気調和機の室外ユニットに関するもので、特に室外気温センサーの取り付け方法に関するものである。
【背景技術】
【０００２】
従来の分離型空気調和機のの室外ユニットについて、図８を用いて説明する。図８は、従来の分離型空気調和機の室外ユニットの部分斜視図である。
【０００３】
図８において、室外ユニット１は、仕切板１ａにより熱交換器２および送風機３が収納された送風機室４と、圧縮機（図示せず）を収納する圧縮機室５に分割され、この仕切板１ａの上方に、電装品６が収納された電装箱７を有しており、さらに熱交換器２の風上側に室外気温センサー８を配設し、この室外気温センサー８を保持するセンサー保持部９が電装箱７の背面側を延長した舌片部７ａに設置されていた。
【０００４】
室外気温センサー８はセンサー保持部９の熱交換器２と対向しない面すなわち熱交換器２の上流側に保持され、電装箱７に収納された電装品６に接続されており、送風機３により熱交換器２を通過する前の空気温度を検知し、室外気温として空気調和機の運転制御に利用するものである（例えば、特許文献１参照）。
【特許文献１】特開平１１−２４８１９９号公報
【発明の開示】
【発明が解決しようとする課題】
【０００５】
しかしながら、前記従来の構成では、室外気温センサー８の保護および室外気温センサー８が直射日光を受けて誤った温度を検知するのを防止するために、別部品または室外ユニット１本体の側面を形成する外箱側板を延長して設けたセンサーカバーが必要でありコストアップし組立が煩雑になり、さらに室外ユニット本体１を組み立てる前の電装箱単体として、センサー保持部が突出しているため取り扱いにより変形、破損等の不良が発生し易いという課題を有していた。
【０００６】
本発明は、このような従来の課題を解決するものであり、簡単な構造で室外気温センサーを保護し直射日光による温度誤検知を防止しさらに電装箱単体として取り扱いが容易で不良の少ない分離型空気調和機の室外ユニットを提供することを目的とする。
【課題を解決するための手段】
【０００７】
前記従来の課題を解決するために、本発明の分離型空気調和機は、外郭上部を形成する外箱天板と、熱交換器と、前記熱交換器を通して外気を取り入れる送風機を内蔵した送風機室と、前記熱交換器に流入する外気の温度を検知する室外気温センサーと、前記室外気温センサーに接続された電装品を収納する電装箱と、前記電装箱に一体に形成されると共に前記室外気温センサーが配されたセンサー用送風路と、前記電装箱の上部に配されると共に前記センサー用送風路の上部に配される上壁が一体に延設された電装箱上蓋と、前記外箱天板に設けられた開口部とを備え、 前記開口部と前記センサー用送風路と前記送風機室とを連通させたもので、外箱天板の開口部より空気を確実に室外気温センサーに導いて精度良く温度検知ができ、しかも簡単な構造で室外気温センサーを保護するとともに、上壁により直射日光および熱交換器からの輻射、熱交換器を通過した空気等による温度誤検知を防止することができる。さらにセンサー用送風路が電装箱に一体に形成されているので、 室外気温センサーの取り付け、取り扱いが容易で不良を少なくすることができる。
【発明の効果】
【０００８】
本発明の分離型空気調和機は、簡単な構造で室外気温センサーを保護し直射日光および熱交換器からの輻射、熱交換器を通過した空気等による温度誤検知を防止しさらに電装箱単体として取り扱いが容易で不良を少なくすることができる。
【発明を実施するための最良の形態】
【０００９】
第１の発明は、外郭上部を形成する外箱天板と、熱交換器と、前記熱交換器を通して外気を取り入れる送風機を内蔵した送風機室と、前記熱交換器に流入する外気の温度を検知する室外気温センサーと、前記室外気温センサーに接続された電装品を収納する電装箱と、前記電装箱に一体に形成されると共に前記室外気温センサーが配されたセンサー用送風路と、前記電装箱の上部に配されると共に前記センサー用送風路の上部に配される上壁が一体に延設された電装箱上蓋と、前記外箱天板に設けられた開口部とを備え、 前記開口部と前記センサー用送風路と前記送風機室とを連通させたもので、外箱天板の開口部より空気を確実に室外気温センサーに導いて精度良く温度検知ができ、しかも簡単な構造で室外気温センサーを保護するとともに、上壁により直射日光および熱交換器からの輻射、熱交換器を通過した空気等による温度誤検知を防止することができる。さらにセンサー用送風路が電装箱に一体に形成されているので、 室外気温センサーの取り付け、取り扱いが容易で不良を少なくすることができる。
【００１０】
第２の発明は、特に、第１の発明のセンサー用送風路の上流側に開口部と連通する上流側開口部を、下流側に送風機室と連通する下流側開口部をそれぞれ設け、前記下流側開口部を電装箱の送風機側端面より送風機側に配置したもので、下流側開口部に強い送風機の吸引力が作用して、室外気温センサーが配されたセンサー用送風路を通過する空気量を増加させより正確に温度検知することができる。
【００１１】
第３の発明は、特に、第２の発明の開口部、上流側開口部および室外気温センサーを電装箱の送風機側端面より送風機側に配置したもので、開口部と送風機との間の空気通路が短縮され空気抵抗が少なくなるので、センサー用送風路を通過する空気量をさらに増加させ、より正確に温度検知することができる。
【００１２】
第４の発明は、特に、第１〜３のいずれか１つの発明のセンサー用送風路の底壁の送風機側に、熱交換器側より階段状に低くした段部を設け、前記段部に室外気温センサーを設置したもので、室外気温センサーの位置が日光に曝される外箱天板からより離れるので、輻射の影響をさらに低減しより正確に温度検知することができる。
【００１３】
以下、本発明の実施の形態について、図面を参照しながら説明する。なお、本実施の形態によって本発明が限定されるものではない。
【００１４】
（実施の形態１）
図１は、本発明の第１の実施の形態における分離型空気調和機の室外ユニットの斜視図、図２は、同室外ユニットの内部構成を示す平面図、図３は、室外気温センサー近傍の断面図である。なお、従来例と同一部分については同じ符号を用い、その説明を省略する。
【００１５】
図１において、室外ユニット１の外郭は、外箱側板１３と、この外箱側板１３の上端を覆うように取りつけられた外箱天板１２から構成され、１２ａは、外箱天板１２の後壁に設けられ、後述の室外気温センサー８による外気温度検知用に外気を取り入れるための開口部である。
【００１６】
図２、３において、センサー用送風路１０の底壁１０ａ、側壁１０ｂおよびセンサー保
持部９は、電装箱７と一体に形成され熱交換器２の上方に設置されており、室外気温センサー８は、センサー用送風路１０に配されるとともに前記センサー保持部９で保持され、かつセンサー用送風路１０の上に配される上壁１０ｃは電装箱７の上部に配設されている電装箱上蓋１１と一体に形成され、さらにセンサー用送風路１０の上流側開口部１０ｄ近傍の外箱天板１２に開口部１２ａが設けられている。また外箱天板１２は、外箱側板１３により支持されている。
【００１７】
上記構成による、動作、作用は以下の通りである。
【００１８】
送風機３の運転により、室外の空気が熱交換器２を通って送風機室４に流入するが、一部の空気は外箱天板１２の開口部１２ａより上流側開口部１０ｄを経てセンサー用送風路１０に流入し、室外気温センサー８近傍を通過して送風機室４に到達する。このとき室外気温センサー８で温度が検知され、室外気温として空気調和機の運転制御に利用される。
【００１９】
以上のように、本実施の形態における分離型空気調和機の室外ユニットによれば、室外気温センサー８は外箱天板１２の内部にあって保護され、かつ外箱天板１２の開口部１２ａの近傍より送風機室４までを連通するセンサー用送風路１０の内部に設置されているため、直射日光および熱交換器２からの輻射、熱交換器２を通過した空気が室外気温センサー８の近傍を通過すること等による温度誤検知を防止することができ、さらに電装箱７単体として取り扱いが容易で不良を少なくすることができる。
【００２０】
また、電装箱上蓋１１と上壁１０ｃが一体に形成されているので、電装箱上蓋１１で電装箱７を覆うときに、同時にセンサー用送風路１０が上壁１０ｃで覆われるので、組み立てが容易である。
【００２１】
（実施の形態２）
図４は、本発明の第２の実施の形態における分離型空気調和機の室外ユニットの内部構成を示す平面図である。なお、上記実施の形態と同一部分については同じ符号を用い、その説明を省略する。
【００２２】
本実施の形態では、センサー用送風路１０の下流側開口部１０ｅを、電装箱７の送風機３側の端面７ａより送風機３側に突出する位置に設けたものである。
【００２３】
以上の構成により、下流側開口部１０ｅが送風機３に近くなるので、送風機３の吸気能力が下流側開口部１０ｅにより強く作用し、センサー用送風路１０を通過する空気量を増加させて、より正確に外気の温度を検知することができる。
【００２４】
（実施の形態３）
図５は、本発明の第３の実施の形態における分離型空気調和機の室外ユニットの内部構成を示す平面図である。なお、上記実施の形態と同一部分については同じ符号を用い、その説明を省略する。
【００２５】
本実施の形態では、実施の形態２に加え、外箱天板１２の開口部１２ａ、センサー用送風路１０の上流側開口部１０ｄ、センサー保持部９および室外気温センサー８を電装箱７の送風機３側の端面７ａより送風機３側に位置させたもので、センサー用送風路１０は最短の直管となるため通風抵抗が少なくなり、センサー用送風路１０を通過する空気量をさらに増加させより正確に温度検知することができる。
【００２６】
（実施の形態４）
図６は、本発明の第４の実施の形態における分離型空気調和機の室外ユニットの内部構
成を示す平面図で、図７は、室外気温センサー近傍の断面図である。なお、上記実施の形態と同一部分については同じ符号を用い、その説明を省略する。
【００２７】
本実施の形態では、実施の形態３に加え、センサー用送風路１０の底壁１０ａの送風機３側に、 底壁１０ａの熱交換器２の上部に位置する部分より階段状に低くした段部１０ｆを設け、センサー保持部９および室外気温センサー８を段部１０ｆに設置したものである。
【００２８】
以上の構成により、室外気温センサー８がセンサー用送風路１０の上壁１０ｃより下方に離れた位置に設置されるため、日光による外箱天板１２からの輻射熱の影響を低減しより正確に温度検知することができる。
【産業上の利用可能性】
【００２９】
以上のように、本発明の分離型空気調和機の室外ユニットは、簡単な構造で温度センサーを保護し温度誤検知を防止することができるので、温度を検知して運転制御を行う送風機等の用途にも適用できる。
【図面の簡単な説明】
【００３０】
【図１】本発明の実施の形態１における分離型空気調和機の室外ユニットの斜視図
【図２】同室外ユニットの内部構成を示す平面図
【図３】同室外ユニットの室外気温センサー近傍の断面図
【図４】本発明の実施の形態２における分離型空気調和機の室外ユニットの内部構成を示す平面図
【図５】本発明の実施の形態３における分離型空気調和機の室外ユニットの内部構成を示す平面図
【図６】本発明の実施の形態４における分離型空気調和機の室外ユニットの内部構成を示す平面図
【図７】同室外ユニットの室外気温センサー近傍の断面図
【図８】従来の分離型空気調和機の室外ユニットの一部を省略した内部構成を示す斜視図
【符号の説明】
【００３１】
２    熱交換器
３    送風機
４    送風機室
６    電装品
７    電装箱
８    室外気温センサー
９    センサー保持部
１０    センサー用送風路
１０ｃ  上壁
１１    電装箱上蓋
１２    外箱天板
１２ａ  開口部
【図１】
2005172349.tif 000003
【図２】
2005172349.tif 000004
【図３】
2005172349.tif 000005
【図４】
2005172349.tif 000006
【図５】
2005172349.tif 000007
【図６】
2005172349.tif 000008
【図７】
2005172349.tif 000009
【図８】
2005172349.tif 000010